(57)【特許請求の範囲】
【請求項１】
底板の左右側部に側面板を、前部に前面板を、後部に後面板を設けた有底角筒状のカートン本体と、蓋板の左右側部に蓋側面板を、前部に蓋前面板を設け、前記蓋前面板の両端に係止接着片を連設し、該係止接着片をそれぞれ前記左右側部の蓋側面板の内側に接着することにより形成された蓋とからなり、前記蓋が前記カートン本体の胴部の上部外側へ嵌合させることができるように前記後面板の上縁に前記蓋板を連設した蓋付きカートンにおいて、
前記前面板に、両側辺に係合部を設けた遊離係合片を延設し、該遊離係合片に対応する前記蓋側面板に接着された前記係止接着片の上部に係止空間を設け、前記蓋を前記カートン本体に嵌合した時、前記遊離係合片と前記係止接着片とを係合可能としたことを特徴とする蓋付きカートン。
【発明の詳細な説明】
【０００１】
【発明の属する技術分野】
本発明は、菓子等を収納するのに用いられる蓋付きカートンに関するものであり、詳しくは、係合機構を有する蓋付きカートンに関するものである。
【０００２】
【従来の技術】
従来より、蓋付きカートンで再封機能を有するカートンは、種々の形態のものがある。例えば、代表的な形態として、図１１に示すように、遊離係合片がカートン本体の前面板に連設され、その遊離係合片が前面板の外面側に折り曲げられ、蓋を被せた時に、蓋の蓋前面板が遊離係合片でロックされる形態のものがある。
【０００３】
【発明が解決しようとする課題】
しかしながら、上記の従来の再封機能の有するカートンでは、前面板の外側に遊離係合片が折り曲げられる形状であり、開封時にカートン本体と蓋との間に間隙ができ、また、きちんと再封しないという問題がある。さらに、高さの低い偏平状のカートンに対しては適用することが難しかった。
【０００４】
本発明は、カートン本体に蓋を被せる形状でカートン本体と蓋とが連結された蓋付きカートンにおいて、開封が容易で、かつ再封時に蓋がカートン本体にきちんとロックすることができ、偏平状のカートンにも適用できる蓋付きカートンを提供することを目的とするものである。
【０００５】
【課題を解決するための手段】
上記の問題点を解決するため、本発明は、底板の左右側部に側面板を、前部に前面板を、後部に後面板を設けた有底角筒状のカートン本体と、蓋板の左右側部に蓋側面板を、前部に蓋前面板を設け、前記蓋前面板の両端に係止接着片を連設し、該係止接着片をそれぞれ前記左右側部の蓋側面板の内側に接着することにより形成された蓋とからなり、前記蓋が前記カートン本体の胴部の上部外側へ嵌合させることができるように前記後面板の上縁に前記蓋板を連設した蓋付きカートンにおいて、
前記前面板に、両側辺に係合部を設けた遊離係合片を延設し、該遊離係合片に対応する前記蓋側面板に接着された前記係止接着片の上部に係止空間を設け、前記蓋を前記カートン本体に嵌合した時、前記遊離係合片と前記係止接着片とを係合可能としたことを特徴とする蓋付きカートンである。
【０００６】
本発明によれば、カートン本体に蓋を被せる形状でカートン本体と蓋とが連結された蓋付きカートンにおいて、開封が容易で、かつ再封時に蓋がカートン本体にきちんとロックすることができ、偏平状のカートンにも適用できる蓋付きカートンを得ることができる。
【０００７】
【発明の実施の形態】
本発明の蓋付きカートンの実施の形態について以下に詳細に説明する。なお、異なる図の同一部位には同一の符号を付与している。
【０００８】
図１は、本発明の蓋付きカートンの第一の実施の形態の一実施例を示す斜視図である。蓋付きカートンＡは、カートン本体１と蓋２とから構成されている。そして、カートン本体１と蓋２とが、折れ線ｊで連結され、その折れ線ｊをヒンジとして蓋２がカートン本体１の上部外側へ嵌合させることができる形態となっている。また、カーートン本体１の前面板１２に連設した遊離係合片１６の係合部１６ａ、１６ａが蓋２の蓋側面板２１、２１の内面において係合する係合機構を有している。
【０００９】
図２は、本発明の蓋付きカートンＡのブランクを示す展開図であり、ブランク３Ａは、カートン本体１の部分と蓋２の部分とが折れ線ｊ（ヒンジ）で連結されている。
【００１０】
カートン本体１の部分は、底板１０を中心として、左右側辺に折り線ａを介して側面板１１、１１を連設し、前辺に折り線ｂを介して前面板１２を連設し、後辺に折り線ｃを介して後面板１３を連設している。そして、前面板１２の左右側辺にそれぞれ折り線ｄ、ｄを介して接着片１４、１４を連設し、後面板１３の左右側辺にそれぞれ折り線ｅ、ｅを介して接着片１５、１５を連設している。さらに、前面板１２には、折れ線ｆを介して遊離係合片１６を連設している。この遊離係合片１６は、前面板１２に折り曲げ自由に連設されており、形状は、四辺形、角丸四辺形などとすることができ、両側辺は、底板１０と両側面板１１、１１の折れ線ａの延長線より外側に位置するように係合部１６ａ、１６ａとしている。つまり、この折れ線ａの延長線より外側に位置する両側辺の部分が係合部１６ａ、１６ａとなる。その最大幅は１〜２ｍｍの範囲とすることが好ましい。
【００１１】
また、蓋２の部分は、蓋面板２０の左右側辺に折り線ｇ、ｇを介して蓋側面板２１、２１を連設し、前辺に折れ線ｈを介して蓋前面板２２を連設している。そして、蓋前面板２２の左右側辺にそれぞれ折り線ｉ、ｉを介して係止接着片２３、２３を連設している。この係止接着片２３、２３の下辺は、天面板２０と蓋前面板２２の折れ線ｈの延長線より内側に位置するようにする。
【００１２】
そして、蓋２がカートン本体１の胴部の上部外側へ嵌合させることができるように、後面板１３の上縁に蓋面板２０を折れ線ｊ（ヒンジ）を介して連設し、カートン本体１の部分と蓋２の部分を連結している。
【００１３】
さらに、内容物４を収納した後には、内容物４の保護およびバージン性の付与のために、カートン本体１に蓋２を嵌合し、カートン本体１の前面板１２に蓋２の蓋前面板２２を接着する。本実施例では、この接着は、蓋２をカートン本体１から開封しやすいように、蓋２の蓋前面板２２の部分接着部２２ａとカートン本体１の前面板１２とで接着し、開封時に部分接着部２２ａを全面板１２に切り残すことができる形状としている。本実施例以外の方法としては、蓋２を嵌合した後に、内容物４の保護およびバージン性の付与のために、全体をフィルム等で包装するか、あるいは、シール貼りをする方法などがある。
【００１４】
また、蓋前面板２２をカートン本体１に接着する形態には、本実施例の形状以外に、図３−ａに示すように、横中央部にジッパー５を設け、このジッパー５の外側部２２ｂでカートン本体１の前面板１２と接着する形状、あるいは、図３−ｂに示すように、蓋前面板２２にさらに接着片２２ｃを切り取り可能に設けて、カートン本体１の底板１０と接着する形状などがある。
【００１５】
つぎに、図２に示したブランク３Ａからの本実施の形態の蓋付きカートンＡを組立てる工程について図を用いて説明する。
【００１６】
まず、ブランク３から折り畳まれた状態の蓋付きカートンＡに組み立てるが、図４−ａに示すよ前面板１２を折れ線ｂで底板１０側に折り曲げ、つぎに、図４−ｂに示すように、天面板２０を折れ線ｊで後面板１３側に折り曲げて、蓋前面板２２の部分接着部２２ａと前面板１２とを貼り合せる。このようにして、図４−ｃに示すように、折り畳まれた状態の蓋付きカートンＡを組み立てる。
【００１７】
つぎに、公知のカートニングマシーンによって、折り畳まれた蓋付きカートンＡを起こして組み立てて、内容物４を充填し、密封する。
【００１８】
まず、折り畳まれた状態から、図５−ａに示すような起こされた状態とする。つぎに、開放された両側面部Ｓ−１、Ｓ−２の一方を形成するが、例えば、一方の側面部Ｓ−１では、二つの接着片１４、１５を内側に折り曲げ、側面板１１を内側に折り曲げて、図５−ｂに示すように、接着片１４、１５と接着して固定する。そしてその上に、係止接着片２３を内側に折り曲げ、蓋側面板２１を内側に折り曲げて係止接着片２３と接着して固定し、図５−ｃに示すように、一方の側面部Ｓ−１を形成する。
【００１９】
つぎに、この図５−ｃに示した状態で、一方の側面部Ｓ−１側から内容物４を蓋付きカートンＡ内に挿入し、他方の側面部Ｓ−２も一方の側面部Ｓ−１と同様にして形成して、図５−ｄに示すように、蓋付きカートンＡとする。このようにして、本発明の蓋付きカートンＡの組立ておよび内容物４の充填包装を行うことができる。
【００２０】
上記のブランク３Ａから本発明の蓋付きカートンＡを組み立てて、内容物４を充填し、密封する別の方法としては、ブランク３の状態から内容物４を直接充填、包装する方法がある。
【００２１】
まず、図６−ａに示すように、ブランク３のカートン本体１の部分の底板１０上に内容物４を載置し、底板１０に対して直角に、前面板１２、後面板１５を起こす。そして、図６−ｂに示すように、接着片１４、１４、１５、１５を内側に折り込み、側面板１１、１１も直角に起こして、それぞれ側面板１１、１１の内側に接着片１４、１４、１５、１５を接着することにより、図６−ｃに示すように、カートン本体１を形成する。
【００２２】
つぎに、図６−ｄに示すように、蓋２の部分の天面板２０を内容物４の上に被せ、天面板２０に対して直角に、蓋前面板２２を下方に折り曲げる。そして、図６−ｅに示すように、係止接着片２３、２３を内側に折り込み、蓋側面板２１、２１も直角に下方に折り曲げて、それぞれ蓋側面板２１、２１の内側に係止接着片２３、２３を接着することにより蓋２を被せた状態の蓋付きカートンＡを形成する。
【００２３】
このような蓋付きカートンＡにおいて、蓋２を、後面板１５の上部の折れ線ｊをヒンジとして回動させることにより、カートン本体１の上方開放部を開閉させる。そして、蓋２は、カートン本体１の上部外側へ嵌合することができる。
【００２４】
また、蓋側面板２１、２１の内側に貼り合わされた係止接着片２３、２３の上部には係止空間２４を設け、かつ前面板１２の上端から延び、かつ内側へ折り曲げた両側辺に係合部１６ａ、１６ａを有する遊離係合片１６を設けたことを特徴とする蓋付きカートンである。遊離係合片１６を、前面板１２の内側に向けて折り曲げ、遊離係合片１６の係合部１６ａ、１６ａを係止接着片２３の上縁に係合させてカートン本体１と蓋２とをロックすることができる。
【００２５】
具体的には、蓋２をカートン本体１の上部に嵌合させていくと、蓋側面板２１の内側に貼り合わされている係止接着片２３、２３がカートン本体１の前面板１２に連設した遊離係合片１６の両端の係合部１６ａ、１６ａに接し、これに抗して下降し、係合部１６ａ、１６ａが係止接着片２３、２３の上縁に達すると、遊離係合片１６は、係止空間２４内にわずかに復元して、係止接着片２３、２３の上縁に係合する。
【００２６】
さらに、カートン本体１と蓋２とのロックを確実にするために、係止空間２４の遊離係合片１６の両端の係合部１６ａ、１６ａに対応する位置に切れ線を設け、係合部１６ａ、１６ａを切れ線に差し込みロックする方法とすることもできる。
【００２７】
カートン本体１から蓋２を開封する場合には、遊離係合片１６と係止接着片２３、２３との係合力に抗して蓋２を引き上げると、遊離係合片１６が撓んで、係合部１６ａ、１６ａと係止接着片２３、２３との係合が外れ、蓋２をカートン本体１から外すことができる。
【００２８】
つぎに、本発明の第二の実施の形態について以下に説明する。
【００２９】
図７は、本発明の蓋付きカートンの第二の実施の形態の一実施を示す斜視図であり、図８は、そのブランクを示す展開図である。
【００３０】
本発明の蓋付きカートンの第二の実施の形態の一実施である蓋付きカートンＢは、第一の実施の形態の蓋付きカートンＡが、カートン本体１の前面板１２の辺の全幅に遊離係合片１６を連設しているのに対して、カートン本体１の前面板１２の辺の両端部に分けてそれぞれ遊離係合片１６、１６を連設している。前面板１２の辺の両端部に分けてそれぞれ遊離係合片１６、１６を設けることによって、カートン本体１と蓋２とが係合機構を有する上に、前面板１２の片の中央部分が空き、収納した内容物を取り出し易くすることができる。
【００３１】
つぎに、本発明の第三の実施の形態について以下に説明する。
【００３２】
図９は、本発明の蓋付きカートンの第三の実施の形態の一実施を示す斜視図であり、図１０は、そのブランクを示す展開図である。
【００３３】
本発明の蓋付きカートンの第三の実施の形態の一実施である蓋付きカートンＣは、第一の実施の形態の蓋付きカートンＡのカートン本体１の前面板１２の遊離係合片１６に折れ線ｋを介して折り返し片１７、そして、その折り返し片１７に折れ線ｌを介して固定片１８を延設している。この折り返し片１７を折れ線ｋで下方に直角に折り曲げ、そして、固定片１８を外側に折れ線ｌで折り曲げて底板１０に固定することにより、係合機構を有している上に、カートン本体１を変形しにくいものとすることができる。
【００３４】
【発明の効果】
本発明によれば、カートン本体に蓋を被せる形状でカートン本体と蓋とが連結された蓋付きカートンにおいて、カートン本体の前面板の上辺に遊離係合片を設け、その遊離係合片を内側へ折り曲げ、また、蓋側面板の内側に貼り合わされた係止接着片の上部に係止空間を設けたことにより、遊離係合片は、前面板の内側に向けて折り曲げ、係止接着片の上縁に係合させてカートン本体と蓋とをロックすることができ、従って、開封が容易で、かつ再封時に蓋がカートン本体にきちんとロックすることができ、偏平状のカートンにも適用できる蓋付きカートンを得ることができる。また、内容物取り出し時において、蓋を開けた状態において、遊離係合片で内容物を保持するという効果を持たせることもできる。
【図面の簡単な説明】
【図１】本発明の蓋付きカートンの第一の実施の形態の一実施を示す斜視図である。
【図２】本発明の蓋付きカートンの第一の実施の形態の一実施のブランクを示す展開図である。
【図３】本発明の蓋付きカートンの蓋前面板の形状の異なる例を示す斜視図である。
【図４】本発明の蓋付きカートンを折り畳まれた状態に組み立てる工程を示す図である。
【図５】本発明の蓋付きカートンを組み立てて内容物を充填包装する工程を示す図である。
【図６】本発明の蓋付きカートンを組み立てて内容物を充填包装する別の工程を示す図である。
【図７】本発明の蓋付きカートンの第二の実施の形態の一実施を示す斜視図である。
【図８】本発明の蓋付きカートンの第二の実施の形態の一実施のブランクを示す展開図である。
【図９】本発明の蓋付きカートンの第三の実施の形態の一実施を示す斜視図である。
【図１０】本発明の蓋付きカートンの第三の実施の形態の一実施のブランクを示す展開図である。
【図１１】従来の蓋付きカートンの斜視図である。
【符号の説明】
Ａ    蓋付きカートン（第一の実施の形態）
Ｂ    蓋付きカートン（第二の実施の形態）
Ｃ    蓋付きカートン（第三の実施の形態）
１    カートン本体
１０    底板
１１    側面板
１２    前面板
１３    後面板
１４    接着片
１５    接着片
１６    遊離係合片
１７    折り返し片
１８    固定片
２    蓋
２０    蓋板
２１    蓋側面板
２２    蓋前面板
２２ａ  部分接着部
２２ｂ  外側部
２２ｃ  接着片
２３    係止接着片
２３ａ  係止部
２４    係止空間
ａ〜ｉ    折れ線
ｊ    折れ線（ヒンジ）
３Ａ  ブランク（第一の実施の形態）
３Ｂ  ブランク（第二の実施の形態）
３Ｃ  ブランク（第三の実施の形態）
４    内容物
５    ジッパー
【図１】
0004736238.tif 000002
【図２】
0004736238.tif 000003
【図３】
0004736238.tif 000004
【図４】
0004736238.tif 000005
【図５】
0004736238.tif 000006
【図６】
0004736238.tif 000007
【図７】
0004736238.tif 000008
【図８】
0004736238.tif 000009
【図９】
0004736238.tif 000010
【図１０】
0004736238.tif 000011
【図１１】
0004736238.tif 000012